(57)【特許請求の範囲】
【請求項１】
原稿画像を光学的に読み取る原稿読取手段と、
原稿をこの原稿読取手段に押圧する圧板と、
前記原稿読取手段が読み取った画像データを所定のサイズの転写紙に画像形成して出力する画像出力手段とを備えた画像形成装置において、
前記原稿読取手段が読み取った、前記圧板と前記原稿読取手段とが接触する部分の画像データを保持する圧板データ保持手段と、
前記原稿読取手段が読み取った、前記原稿画像の領域を含み、前記画像出力手段が画像形成しようとする転写紙のサイズに相当する原稿認識範囲の画像データを保持する読み取りデータ保持手段と、
前記転写紙のサイズと、前記原稿画像のサイズを比較するサイズ比較手段と、
このサイズ比較手段での比較の結果、前記転写紙のサイズに相当する原稿認識範囲よりも前記原稿画像のサイズの方が小さい場合に、前記原稿認識範囲のうち、前記原稿画像の領域以外の部分の画像データを、前記圧板データ保持手段が保持している画像データと比較するデータ比較手段と、
このデータ比較手段による比較の結果、前記原稿画像の領域以外の部分の画像データが前記圧板データ保持手段が保持している画像データと同一である部分については、前記画像出力手段が何らの画像を形成せず、転写紙の地色のまま出力する制御を行う制御部と、を備えたことを特徴とする画像形成装置。
【請求項２】
原稿画像を光学的に読み取る原稿読取手段と、
前記原稿読取手段に原稿を自動搬送する原稿自動送り装置と、
前記原稿読取手段が読み取った画像データを所定のサイズの転写紙に画像形成して出力する画像出力手段とを備えた画像形成装置において、
前記原稿読取手段が読み取った、前記原稿自動送り装置と前記原稿読取手段とが接触する部分の画像データを保持する原稿自動送り装置データ保持手段と、
前記原稿読取手段が読み取った、前記原稿画像の領域を含み、前記画像出力手段が画像形成しようとする転写紙のサイズに相当する原稿認識範囲の画像データを保持する読み取りデータ保持手段と、
前記転写紙のサイズと、前記原稿画像のサイズを比較するサイズ比較手段と、
このサイズ比較手段での比較の結果、前記転写紙のサイズに相当する原稿認識範囲よりも前記原稿画像のサイズの方が小さい場合に、前記原稿認識範囲のうち、前記原稿画像の領域以外の部分の画像データを、前記原稿自動送り装置データ保持手段が保持している画像データと比較するデータ比較手段と、
このデータ比較手段による比較の結果、前記原稿画像の領域以外の部分の画像データが前記原稿自動送り装置データ保持手段が保持している画像データと同一である部分については、前記画像出力手段が何らの画像を形成せず、転写紙の地色のまま出力する制御を行う制御部と、を備えたことを特徴とする画像形成装置。
【請求項３】
前記圧板データ保持手段または原稿自動送り装置データ保持手段が、当該画像形成装置の立上げ時に画像データを取得することを特徴とする請求項１または請求項２記載の画像形成装置。
【発明の詳細な説明】
【０００１】
【発明の属する技術分野】
本発明は、転写紙サイズより狭い範囲の原稿画像を複写する場合に、余白部分がきれいな転写紙を得ることができる画像形成装置に関する。
【０００２】
【従来の技術】
現在、一般に普及している複写機では、コピーを行う用紙、即ち転写紙のサイズは、所定の数種類の定形サイズに決まっており、そして、この複数の定形サイズの転写紙に対応した原稿認識範囲を備えた設計となっている。
しかし、ユーザーは定形サイズと異なるサイズの原稿をコピーしたり、また原稿が定形サイズであっても転写紙が用意されているサイズでない場合にもコピーをすることがある。その場合には、ユーザーは原稿サイズがその数種類の定形の転写紙サイズに合わないので、セットされた転写紙の中から適宜サイズを選択してコピー処理を行っている。
このようなコピーを行う際に、複写原稿が転写紙サイズよりも小さいサイズの場合でも、前述したように原稿認識範囲が転写紙のサイズに対応した範囲に固定されているため、転写紙サイズにあわせた領域の画像読み取りが行われ、それに応じて画像形成を行っているのが実情である。
【０００３】
【発明が解決しようとする課題】
すなわち、複写原稿が転写紙より小さいサイズの場合、原稿画像以外の領域も画像読み取り時に、原稿画像として読み取られ画像出力が行われており、それによって転写紙上には原稿画像以外の画像、例えば経時的な原稿を押さえる圧板の裏面の汚れや、コンタクトガラス上の汚れまでを転写してしまうことになっている。
例えば、転写紙の半分の領域に原稿画像をコピーし、残り半分の領域をメモ用紙として使用したい場合などにおいても、原稿のみをコンタクトガラス上に配置してコピーすると、原稿以外の余白部分にもうっすらと影のように圧板の汚れ等が転写紙に画像として載ってしまうことが多い。原稿以外の転写紙領域をきれいな状態でコピーするには、ユーザーは転写紙と同じサイズのきれいな白い紙を原稿の上から更に準備しセットする必要があった。また、市場のサービスマンにより圧板裏やコンタクトガラスの清掃をまめにすることも要求されていた。
【０００４】
そこで、本発明の第１の目的は、コンタクトガラスの汚れを画像データと区別して、転写紙には圧板裏部の汚れ、コンタクトガラスの汚れ等が原稿サイズ以外の領域に誤転写されていない余白部分のきれいな転写紙を得ることができる画像形成装置を提供することである。
また、本発明の第２の目的は、自動原稿送り装置（ＡＤＦ）が装着されている場合でも、搬送ベルトの汚れ等に関わらず、同様に原稿外の転写紙余白部分のきれいな良好な転写画像を得ることができる画像形成装置を提供することである。さらに、本発明の第３の目的は、機械立上げ時に圧板裏やコンタクトガラスの画像データを新しく取り直すことで、経時的な汚れに対しても対応可能とし、同様に原稿外の転写紙余白部分のきれいな良好な転写画像を得ることができる画像形成装置を提供することである。
【０００５】
【課題を解決するための手段】
請求項１記載の発明では、原稿画像を光学的に読み取る原稿読取手段と、原稿をこの原稿読取手段に押圧する圧板と、前記原稿読取手段が読み取った画像データを所定のサイズの転写紙に画像形成して出力する画像出力手段とを備えた画像形成装置において、前記原稿読取手段が読み取った、前記圧板と前記原稿読取手段とが接触する部分の画像データを保持する圧板データ保持手段と、前記原稿読取手段が読み取った、前記原稿画像の領域を含み、前記画像出力手段が画像形成しようとする転写紙のサイズに相当する原稿認識範囲の画像データを保持する読み取りデータ保持手段と、前記転写紙のサイズと、前記原稿画像のサイズを比較するサイズ比較手段と、このサイズ比較手段での比較の結果、前記転写紙のサイズに相当する原稿認識範囲よりも前記原稿画像のサイズの方が小さい場合に、前記原稿認識範囲のうち、前記原稿画像の領域以外の部分の画像データを、前記圧板データ保持手段が保持している画像データと比較するデータ比較手段と、このデータ比較手段による比較の結果、前記原稿画像の領域以外の部分の画像データが前記圧板データ保持手段が保持している画像データと同一である部分については、前記画像出力手段が何らの画像を形成せず、転写紙の地色のまま出力する制御を行う制御部と、を備えたことにより、前記第１の目的を達成する。
【０００６】
請求項２記載の発明では、原稿画像を光学的に読み取る原稿読取手段と、前記原稿読取手段に原稿を自動搬送する原稿自動送り装置と、前記原稿読取手段が読み取った画像データを所定のサイズの転写紙に画像形成して出力する画像出力手段とを備えた画像形成装置において、前記原稿読取手段が読み取った、前記原稿自動送り装置と前記原稿読取手段とが接触する部分の画像データを保持する原稿自動送り装置データ保持手段と、前記原稿読取手段が読み取った、前記原稿画像の領域を含み、前記画像出力手段が画像形成しようとする転写紙のサイズに相当する原稿認識範囲の画像データを保持する読み取りデータ保持手段と、前記転写紙のサイズと、前記原稿画像のサイズを比較するサイズ比較手段と、このサイズ比較手段での比較の結果、前記転写紙のサイズに相当する原稿認識範囲よりも前記原稿画像のサイズの方が小さい場合に、前記原稿認識範囲のうち、前記原稿画像の領域以外の部分の画像データを、前記原稿自動送り装置データ保持手段が保持している画像データと比較するデータ比較手段と、このデータ比較手段による比較の結果、前記原稿画像の領域以外の部分の画像データが前記原稿自動送り装置データ保持手段が保持している画像データと同一である部分については、前記画像出力手段が何らの画像を形成せず、転写紙の地色のまま出力する制御を行う制御部と、を備えたことにより、前記第２の目的を達成する。
【０００７】
請求項３記載の発明では、請求項１または請求項２記載の発明において、前記圧板データ保持手段または原稿自動送り装置データ保持手段が、当該画像形成装置の立上げ時に画像データを取得することにより、前記第３の目的を達成する。
【０００８】
【発明の実施の形態】
以下、本発明の好適な実施の形態を図１ないし図３を参照して詳細に説明する。
図１は、本実施の形態に係る画像形成装置の構成を示したブロック図である。図１に示すディジタル画像形成装置は、原稿１００を１枚ずつ自動的にディジタルスキャナ部１０へ搬送する自動原稿送り装置１と、原稿１００を画素化して読み取るディジタルスキャナ部１０と、このディジタルスキャナ部１０からの画像信号を記録する画像メモリ２０と、この画像メモリ２０に記憶された画像信号を読み出して転写用紙３１に記録する画像出力部３０とを備え、原稿１００をディジタルスキャナ部１０で読み取って、これを画像メモリ２０に記憶し、記憶された画像情報を画像出力部３０より画像再生する。
【０００９】
まず、自動原稿送り装置１について説明する。この自動原稿送り装置１は、原稿１００を載置する原稿台２、原稿台２上の原稿を送り出す給紙コロ３、重ねた原稿１００を１枚づつに分離する分離ローラ４、この分離ローラ４により分離された原稿１００を搬入する搬入ローラ５、原稿１００をコンタクトガラス１１上へ搬送する搬送ベルト６を備えている。
操作部５０からは、オペレータが要望するコピーモードをキー入力指示し、転写紙後処理装置（ソーター／ステプラ）６０は、転写紙を仕分けて排紙し、ステイプル処理を行う。
また、制御部４０は、自動原稿送り装置１、ディジタルスキャナ部１０、画像メモリ２０、画像出力部３０、転写紙後処理装置６０の動作を制御している。この制御部４０の制御回路にはＣＰＵ（中央処理装置）が搭載され、プログラム用ＲＯＭ（リード・オンリ・メモリ）、データの一時格納用ＲＡＭ（ランダム・アクセス・メモリ）、タイマ、入出力Ｉ／Ｏポートが接続されている。
【００１０】
Ｉ／Ｏポートには本装置を操作するための操作部５０を含むセンサ類負荷、ドライバ各種負荷、および画像メモリ２０を制御するための画像メモリユニットが接続されている。
また、ディジタルスキャナ部１０は、上方に配置された原稿の下面を光学走査機１２によって、その光学像をミラー１３およびレンズ系１５を介して光電変換部に電送して、ディジタルの電気信号に変換している。
【００１１】
図２は、本実施の形態における、画像データの流れとＣＰＵの働きを示すブロック図である。ディジタルスキャナ部１０のＣＣＤイメージセンサで読み取られた信号は、Ａ／Ｄ（アナログ／ディジタル）コンバータでディジタル信号に変換される。そして、シェーディング補正、ＭＴＦ補正、γ補正等の画像処理回路を経由した画像データは、セレクタによって転送先を画像データ格納時は画像メモリ２０に、画像データの画像メモリ２０からの読み出し時には画像出力部３０に切り替える。ここで画像データは、画像メモリ２０に格納されており、先頭アドレスを読み出すことにより格納されている任意の頁を読み出すことができる。
また、これにより画像の転写紙に対しての出力方向を変えること（電子ソート）も可能となる。
【００１２】
そして、画像出力部３０は、画像メモリ２０から読み出された画像信号を入力部３２に入力して光信号に変換しこれを記録部３３に送る。記録部３３では搬送機構３４によって搬送されてくる転写用紙３１に画像信号に対応する記録を行い、これをコピーとして出力し、転写紙後処理装置６０により仕分けられて出力、排紙する。
【００１３】
次に、本実施の形態の動作を図３のフローチャートを参照して説明する。
メインＳＷ（スイッチ）がＯＮされると（ステップ１０）、機械はヒータの立上げと共に、初期設定を行う。この時にＡＤＦ搬送ベルトを動作させ、ベルト１周分の原稿未セット時の原稿未セット画像基準データを取得し、画像メモリエリアに格納する。圧板装着時には原稿未セット時で圧板をコンタクトガラス面にセットした状態で原稿未セット画像基準データを取得する（ステップ１１）。
機械立上り後、原稿をＡＤＦ１にセットし、操作部５０からコピーモード選択入力後、コピースタートキーが押下されると（ステップ１２）、ＡＤＦ１から原稿画像がコンタククトガラス上に搬送される（ステップ１３）。
【００１４】
ＡＤＦ１により原稿がコンタククトガラス上に搬送されると、原稿画像の読み込みが行われる（ステップ１４）。
ここで、原稿サイズが転写紙サイズと異なり小さいか否かを判断する（ステップ１５）。その結果、原稿サイズが転写紙サイズより小さい場合（ステップ１５；Ｙ）、原稿部分以外の画像データに対して、立上げ時に取得していた基本画像データと比較することでデータ補正を行う（ステップ１６）。ここで、原稿読み取り画像データと原稿未セット基準データの値が同じ領域は原稿画像がないと判断し、白紙出力データとして補正・削除される（ステップ１７）。この補正により転写紙の余白部分においてコンタクトガラスやＡＤＦ搬送ベルト等の汚れの誤画像データが削除される。
出力ユニットへ補正した画像データを送ると、画像データ入力部で光信号に変換した後、記録部に送り転写紙に転写される（ステップ１８）。そして、転写紙後処理部により仕分けされて出力排紙する（ステップ１９）。
【００１５】
以上より、転写紙には経時的な圧板裏部の汚れ、コンタクトガラスの汚れ等が原稿サイズ以外の領域に誤転写されていない余白部分のきれいな転写紙を得ることができる。
【００１６】
【発明の効果】
請求項１記載の発明では、転写紙サイズより小さい原稿をコピーする場合に、原稿画像領域外の余白部分の画像データを前記圧板データ保持手段が保持している画像データと比較し、同一と判断された場合、原稿画像領域外の余白部分には、画像データが存在していないとして、前記画像出力手段が何らの画像を形成せずに転写紙の地色のまま出力するので、ユーザーは、原稿のみをセットすることで原稿領域以外の転写紙領域を綺麗に保った良好な転写画像を得ることができる。
【００１７】
請求項２記載の発明では、装置に自動原稿送り装置が装着されている場合においても、搬送ベルトの汚れ等に関わらず、同様に原稿外の転写紙余白部分を綺麗に保つことができ、良好な転写画像を得ることができる。
【００１８】
請求項３記載の発明では、機械立上げ時に圧板裏やコンタクトガラスの画像データを新しく取り直すことで、経時的な汚れに対しても対応可能とし、同様に原稿外の転写紙余白部分をきれいに保って、良好な転写画像を得ることができる。
【図面の簡単な説明】
【図１】本実施の形態に係る画像形成装置の構成を示したブロック図である。
【図２】本実施の形態における、画像データの流れとＣＰＵの働きを示すブロック図である。
【図３】本実施の形態の処理手順を示したフローチャートである。
【符号の説明】
１  自動原稿送り装置
２  原稿台
１１  コンタクトガラス
１０  ディジタルスキャナ部
２０  画像メモリ
３０  画像出力部
４０  制御部
５０  操作部
６０  転写紙後処理装置
【図１】
0003910320.tif 000002
【図２】
0003910320.tif 000003
【図３】
0003910320.tif 000004